(57)【要約】  本発明は、椅子の脚、特に子供の椅子用の椅子の脚のための滑動装置に関し、該滑動装置は少なくとも１つの固定用開口部を有するプレートを具備し、該プレートは１つのスムーズな下側と頂部側とを備えており、該プレートは、該プレートが固定される該椅子の脚に対し少なくとも２つの異なる長さ位置で固定され、両位置で該プレートは該プレートが該椅子の脚上で被う面積より大きい水平な広がりを有する。本発明は又、該滑動装置を含む安全キット及び該安全キットの使用法に関する。【選択図】  図２
2011521766.tif 000002
【特許請求の範囲】
【請求項１】
少なくとも１つの固定用開口部と１つの滑らかな下側と頂部側とを有するプレートを具備する、椅子の脚、特に子供の椅子用の椅子の脚のための滑動装置において、該滑動装置が固定される該椅子の脚に対して少なくとも２つの異なる長さ位置で固定され、両長さ位置で該滑動装置が該椅子の脚の上を被う面積より大きい水平な広がりを有することを特徴とする滑動装置。
【請求項２】
該滑動装置が、該椅子の脚の上の元の滑動部又はスペーサーに対して水平な広がりのある滑動装置である請求項１記載の滑動装置。
【請求項３】
該プレートの該頂部側が高められたエッジを有する請求項１又は２記載の滑動装置。
【請求項４】
該プレートが２つ以上の固定用開口部を有する請求項１〜３の何れか１に記載の滑動装置。
【請求項５】
該固定用開口部が、該プレートの該下側の方へひろがる円錐状エッジを有し、好適には該固定用開口部が円錐状ねじ孔である請求項４記載の滑動装置。
【請求項６】
該椅子の脚の下側の現存の孔内の恒久的に取り付けるための係留部材と、該係留部材に属する固定部材とを具備しており、好適には該固定部材はナットプラグであり、該固定部材はねじであり、より好適には該固定部材は皿頭付きねじである請求項１〜５の何れか１に記載の滑動装置。
【請求項７】
該固定用開口部が開いたトラックにより連結され、好適には該トラックが該固定用開口部の直径以下の幅を有しており、より好適には該トラックが垂直壁を有している請求項１〜６の何れか１に記載の滑動装置。
【請求項８】
該高められたエッジが、該滑動装置の右側エッジ及び左側エッジを部分的又は完全に被う縦エッジを有する請求項３〜７の何れか１に記載の滑動装置。
【請求項９】
該高められたエッジが該滑動装置の横方向の端エッジを、部分的に又は完全に、好適には該左側エッジ及び右側エッジと連続して被う請求項８記載の滑動装置。
【請求項１０】
該右及び左の高められたエッジの少なくとも一部分が延長位置で該椅子の脚の垂直部分に対するよう向く請求項８又は９に記載の滑動装置。
【請求項１１】
該滑動装置の下側が該椅子の脚の下側より低い摩擦を有する請求項１〜１０の何れか１に記載の滑動装置。
【請求項１２】
請求項１〜１１に記載の２つの滑動装置と、２つの係留部材及び２つの固定部材と、そして該子供の椅子と共に供給される元の標準滑動装置の外側寸法を有する様に、前記滑動装置より狭い２つの取り換え滑動装置と、を具備する子供の椅子用安全キット。
【請求項１３】
子供用の椅子の安全装置であって、該椅子の後脚と、サポート装置であってカーペットの様な柔らかいのが好適なサポート装置との間の摩擦を減じるための安全装置としての、請求項１〜１１の何れか１に記載の滑動装置又は請求項１２記載の安全キットの使用法。
【請求項１４】
椅子自身の傾き点に対し該椅子の傾き点を後方へ動かすための、請求項１〜１１の何れ
か１に記載の滑動装置、又は請求項１２記載の安全キット、の使用法。
【発明の詳細な説明】
【技術分野】
【０００１】
本発明は子供用の椅子に使う安全装置であって、この様な子供用の椅子の誤った使用に伴う危険性を減らすための安全装置に関する。
【背景技術】
【０００２】
過去数年、個人家庭の機器の、特に電子的装置及び支援機器の更新及び新規購入に関する、水準の急速な進展が起こっている。大幅なのは、居室の様な家庭の談話室や台所でこの進展が起こっている。
【０００３】
この関連で、親たちは彼等自身の又は他の家族のメンバーの、携帯電話、テレビ、ビデオ、コンピュータ、インターネット、無線電話、ビデオゲーム他の様な外部の影響により、前より大幅に煩わされることが観察される。
【０００４】
加えて、幾つかの家族は、例えば両親が働き、そして同時に子供の宿題を助け、予約を取り、イーメール、テキストメッセージ及び返事器械等をチェックしながら、清掃、洗濯、皿洗い及び特別な調理等の家事の様な幾つかの義務に、同時に及び／又は短時間、当たる必要がある、前よりも詰まった時間スケジュールを有している。更に、より多くの成人が家庭から仕事に接する度合が高まっている。
【０００５】
家庭でのこの増加する活動と混乱度は、例えば台所又は居室で取る食事に於ける様に、子供用の椅子に座る子供から離れるよう焦点をシフトさせる。子供用の椅子の適切な使用により、親は、子供が椅子に座っている限り、常に子供に全注意を払うべきである。
【０００６】
加えて、子供用の椅子が、背高エッジ付きテーブル等に相対するのみならず、柔らかい又は厚いカーペット上に、ことによると数層のカーペット上の様な、不運な環境に置かれ、使われる場合の増加も観察される。この理由は様々であるが、例えば、食事が、家具が子供用の高い椅子の使用には、特に不適切な居間の様な最も使われる談話室に移されるためであり、或いは、例えば、例え高い子供用の椅子と一緒に使うには適しなくても、“バーカウンター”の高さの今日普及した考え方のテーブルが台所用テーブルとして使われるためである。
【０００７】
子供用の椅子上の子供への注目や注意の低さの欠点は勿論、子供が椅子をひっくり返すことになる動きをすることである。子供用の椅子のユーザーガイドでは、大人の監視無しには付き添い無く子供を子供用の椅子に決して残すべきでないことが明らかな注意点である。これは、特にハーネス又は他の仕方で子供用の椅子に固定された子供に関する。柔らかいサポートは、例えば明らかにどんな椅子にも低い安定性を与え、ひっくり返りの危険を増す。更に、背高テーブルエッジは、高い子供用椅子に座る子供に該テーブルエッジから離れるよう自分自身を押す高い可能性を提供しており、大切なことは、この押し力が椅子の後脚の方へ下方に向けられ、この力が該椅子の傾く可能性の増加へ導くことで、何故ならば該押し力が椅子の後脚を床面の方へ下方に強要するからである。子供用の椅子が柔らかいサポート、又は高摩擦を有するサポート上に置かれる場合、子供は椅子をしっかりと床に対し加圧する更に高い機会を得て、そうすることにより、従来技術の或る椅子が行おうとする様に椅子が後ろへ滑る代わりに、椅子を後ろへ傾かせる。
【０００８】
従来技術
この様な椅子はストッケエイエス（Ｓｔｏｋｋｅ  ＡＳ）からのトリップトラップ（登録商標）椅子であり、該椅子は椅子の下側の各コーナーにプラスチックの安全装置として
標準滑動装置を有するので、該椅子は、子供が普通のダイニングテーブルの頂部から自分自身を押すと、テーブルから離れるように滑る。普通の使用では、ユーザーガイドに依り、安全は維持され、全安全規制を充たすが、問題は、ユーザーガイドが必ずしも何時も従われないことであり、これにより製品が誤った仕方で使われることである。子供が椅子に座った時、子供の監視を欠くことは、子供が椅子を傾けさせるようになる不適切な使用法をもたらす。
【０００９】
特許文献１は、該椅子の前方への傾きを防止するために、水平脚ロッドの前端の下側の１つの位置に、該脚ロッド端より更に僅かに前へ突出して設置する接触片を示している。
【００１０】
特許文献２は、固定位置で家具のコーナー接合部の下側に設置するための直角の、又はＴ字型の滑動装置を示している。
【先行技術文献】
【特許文献】
【００１１】
【特許文献１】日本特許第１０２３４５０３号
【特許文献２】ドイツ特許第３，２２４，８０６号
【発明の概要】
【００１２】
本発明の目的
本発明の目的は、子供の椅子の安全を安全規制を越えて高め、子供への危険へ導く不適切な椅子の使用の機会を減少する装置を提供することである。
【００１３】
更に、本発明の目的は、該椅子の誤った使用から生じる危険を減少する装置であって、該椅子が、椅子の物理的、恒久的な変更を行わずに、椅子の元の形に戻し変える様な装置を提供することである。椅子は、椅子の元の形と状態に、或いは近似的に元の状態へ戻すことが可能であるべきで、その場合に該装置は該椅子上で示差的でなく、最小の組立作業で容易に再使用し得る。
【００１４】
本発明の該目的は、椅子の後脚部分に沿い、かつ該後脚部分を過ぎるよう後方向きに延長されたサポート装置を提供し、そして子供の年齢に依る様な椅子内の子供に関連するのみならず、サポート装置部に依る等の、両面での椅子の調整の可能性を提供することである。更に、この様な延長されたサポート装置は、この様なサポート装置においてで誰も躓くことがないように該椅子の後部を誘導する能力に最小の影響しか与えなくすべきである。
【００１５】
本発明の短い説明
本発明は、かくして請求項１の滑動装置に関する。
【００１６】
本発明の１側面に依れば、少なくとも１つの固定用開口部と１つの滑らかな下側と頂部側とを有するプレートを具備する、椅子の脚、特に子供の椅子用の椅子の脚のための滑動装置において、滑動装置が固定される椅子の脚に対して少なくとも２つの異なる長さ位置で固定され、両長さ位置で該滑動装置が該椅子の脚の上を被う面積より大きい水平な広がりを有することを特徴とする滑動装置が提供される。
【００１７】
更に進んだ有利な実施例が従属請求項から明らかである。
【００１８】
本発明のもう１つの側面に依れば、上記で述べた滑動装置が提供され、該滑動装置は該椅子の脚の上で元の滑動部材又はスペーサーに対して水平に延長された滑動装置である。該プレートの頂部側は高められたエッジを有しており、２つ以上の固定用開口部を有する
こともできる。該固定用開口部は、該プレートの下側の方へ向かって開いている円錐状エッジを有することができ、好適には該固定用開口部は円錐状のねじ孔である。該滑動装置は、椅子の脚の下側の現存の孔への恒久的な取り付け用の係留部材と、ことによると該係留部材に附属する固定部材と、を有しており、好適には該係留部材はナットプラグであり、そして該固定部材はねじであり、より好適には該固定部材は皿頭付きねじである。
【００１９】
１実施例では、該固定用開口部は開いたトラックにより連結されており、好適には該トラックは該固定用開口部の直径と同じか又はそれ以下の幅を有しており、より好適には該トラックは垂直壁を有している。更に、高められたエッジは、該滑動装置の右側エッジ及び左側エッジを部分的に又は完全に被う縦エッジを有しており、又該高められたエッジは該滑動装置の横方向のエッジを、部分的又は完全に、好適には該左側エッジ及び右側エッジと連続して被うことができる。該右及び左の高められたエッジの少なくとも一部分は、延長位置で椅子の脚の垂直部分に対するよう向くことができる。
【００２０】
もう１つの実施例では、該滑動装置の下側は、椅子の脚の下側より低い摩擦を有する。
【００２１】
本発明のもう１つの側面に依れば、従って、子供用の椅子の安全キットが提供され、該キットは上記説明の２つの滑動装置、２つの係留部材及び２つの固定部材、そして２つの取り換え滑動装置を有する。
【００２２】
本発明のもう１つの側面は、椅子の後脚と、サポート装置、好適にはカーペットの様な柔らかいサポート装置と、の間の摩擦を減じる、子供用の椅子の安全装置として、上記説明の滑動装置又は安全キットの使用法に関する。
【００２３】
本発明のなおもう１つの側面は、椅子自身の傾き点に対し椅子の傾き点を後方へ移すための、上記説明の滑動装置又は安全キットの使用法に関する。
【図面の簡単な説明】
【００２４】
【図１】本発明の滑動装置を２つの斜視図から示す。
【図２】子供の椅子で延長位置に設置された図１の滑動装置を示す。
【図３】引っ込み位置の図２の滑動装置を示す。
【図４】下側から見た子供の椅子の現在の標準滑動装置の除去法とその詳細を示す。
【図５】図２及び３の滑動装置の設置の第１ステップとその詳細を示す。
【図６】図２の位置の滑動装置の設置の第２ステップを示す。
【図７】図３の位置の滑動装置の設置の第２ステップを示す。
【図８】該滑動装置の代わりの実施例を示す。
【図９】下側から見た子供の椅子のオプション用取り換え部品とその詳細を示す。
【図１０】図９の取り換え部品の設置法を示す。
【実施例１】
【００２５】
この先の説明では下記用語が使われるが、該用語は何か他に述べられなければ、次の様に理解されるべきである。
【００２６】
用語“前で（ｉｎ  ｆｒｏｎｔ）”、“前方（ｆｏｒｗａｒｄ）”、“前の（ｆｒｏｎｔ）”そして“前方へ向けられた（ｆｏｒｗａｒｄ  ｄｉｒｅｃｔｅｄ）”により、椅子に座る子供の顔と胸が普通使用時に面する主に水平方向を意味する。
【００２７】
更に、用語“後で（ｂｅｈｉｎｄ）”、“後方（ｒｅａｒｗａｒｄ）”、“後ろ（ｒｅａｒ）”そして“後方へ向けられた（ｒｅａｒｗａｒｄ  ｄｉｒｅｃｔｅｄ）”は反対の主に水平の方向を意味し、該方向は椅子に座る子供の背が椅子の普通使用時に一般的に向けられる方向である。
【００２８】
本発明は下記で図を参照して本発明用に限定しない実施例の例で図解される。
【００２９】
図１は頂部側及び下側から見た本発明の滑動装置の部品を示しており、該滑動装置はナットプラグ２の様なオプションの係留部材２と、ねじの様な固定部材３と、を一緒に有する延長滑動装置１を備える。
【００３０】
該延長滑動装置１は滑動面１１を有する下側を備える。滑動面１１はトリップトラップアール椅子（Ｔｒｉｐｐ  Ｔｒａｐｐ（Ｒ）  ｃｈａｉｒ）の標準として供給される標準滑動装置に対する様に、子供の椅子の普通のスペーサーよりひろがりが幅広な及び／又は長い面を有する。該延長滑動装置は、固定部材３の助けを借りて子供の椅子の下側に該延長滑動装置を固定するための、ねじ孔の様な前部固定用開口部１２及び後部固定開口部１３を備える。該前部及び後部固定用開口部１２及び１３は該固定部材に適合されているのが好ましく、この実施例では円錐状であるので、対応する円錐状ねじ頭は固定時に沈められ、床と接触せず該安全装置の滑り特性に影響したり、床面にスクラッチを作ったりしない。
【００３１】
該延長滑動装置は３つの主として垂直に高められた側部エッジ、すなわち２つの縦エッジ１４と、１つの横方向の端エッジ１５と、を有する。該縦エッジ１４と横方向の端エッジ１５は、１種の靴の様に、子供の椅子の後脚の垂直部分を完全に、又は部分的に囲み、該垂直部分に対するよう向く。
【００３２】
図２は子供の椅子１００を示しており、延長滑動装置１は、該延長滑動装置が脚１０１の部分より大きい広がりで床に沿い水平方向に後方へ延びるよう、延長状態で脚１０１の後部部分上に設置される。
【００３３】
図３は子供の椅子１００を示しており、該延長滑動装置１は、引き込めた状態で脚１０１の後部部分に設置される。気付くべきことは、該延長滑動装置は脚１０１の部分の後ろ下側を被うだけでなく、該２つの縦エッジ１４と横方向の端エッジ１５が縁に位置付けられるので、該延長滑動装置は各側及び後ろで脚１０１の部分の後部床跡の外へも延びることである。
【００３４】
図２及び３に示す両方の場合に、該子供の椅子は該延長滑動装置により、該椅子に附属する元の標準滑動装置よりも大きい面積の滑り面を脚１０１の後部部分上に得る。これは、椅子が水平力に供された時、柔らかいカーペット上の様な或るサポート装置上で、より少ない力で遙かに容易に椅子を滑らせる。この仕方で、図２及び３に示す椅子は、もし椅子に座る子供がテーブルから離れるよう蹴ることにより押した場合、該滑動装置の大きな面積を有することが好ましい面上の普通の子供の椅子に比して、該テーブルから離れるようにより早く、より容易に滑る。図２に示す延長版では、背高テーブルエッジに対する押
し力又は子供の活発な後ろ方向の体重変位、の様なもっと下向きの押し力の効果は、後ろ方向の脚の広がりが大きく、椅子の傾き点を更に後ろへ動かすので、一層減じられる。かくして、この方向でより大きい安定性が提供され、後方へのひっくり返りに対する増加した抵抗を提供する。上方へ高められた縦エッジ１４は縦方向の曲げと横方向の捻りに対する堅さを延長滑動装置に提供するので、滑り装置の広がりは意図した安定効果を提供する。
【００３５】
この実施例では、図２及び３に示す様に、脚１０１の後ろ部分は水平脚ビームの後ろ部分であり、椅子のどんな後脚部分、特に、引っ込められた位置の滑動装置の主要面を被うのに充分な面を有する脚の後ろ部分、が想定できる。
【００３６】
図４−７に示す様に、本発明の安全装置は設置のみならず、引き込める及び延長する、又はニーヅが変化した時、元の形に戻すよう取り換える、のに非常に容易で、速い。
【００３７】
図４では、例えば、平坦ねじドライバー２００の助けを借り、子供の椅子の後脚部分１０１上の現在の後部標準滑動装置２１が如何に取り除かれるかが示される。滑り効果用の負荷とニーヅは後部滑動装置上に最初に、そして真っ先に存在するので、前部標準滑動装置２２を除去することは必要でないことを気付くべきである。
【００３８】
後部標準滑動装置２１は、該標準滑動装置の除去により現れる後脚部分の下側の孔に固定されている。該標準滑動装置は捨て去られてもよく、それは該標準滑動装置が、ナットプラグが図５に示すごとく椅子に固定された時の様に、係留部材２が設置された後は、該孔に填らないからである。
【００３９】
図５では、前の標準滑動装置が固定される後脚パットの下側の２つの孔１０２及び１０３の前部固定用開口部１０２に、ハンマー３００で引き込まれる例えばナットプラグに依り、係留部材２が如何に固定されるかが示される。この実施例では、主滑り部材が延長及び引き込みの両位置で使われるよう、脚１０１の部分の端部から最も遠く離れた固定用開口部が該係留部材２用に使われることが重要である。該係留部材２は、該係留部材が該孔内に持ち込まれた時、最も前の孔１０２に、非常に良く固定される仕方で、そして好ましくは恒久的に該係留部材が係留されるように、自己固定式及び／又は膨張式であるのがよい。
【００４０】
該固定部材３、ここではねじ、を主滑動部材内の最も前の固定用開口部１２を通るようガイドし、例えばツールの助けにより、ここでは例としてアレンレンチ（Ａｌｌｅｎ  ｗｒｅｎｃｈ）４００により、延長滑動装置を係留部材２を介して後脚部品へ固定することにより、如何に延長滑動装置が延長位置に設置されるかを図６は更に示している。該高められた側方エッジは該延長滑動装置が回転することを妨げ、後脚部分１０１の後方延長部内の正しい位置付けを確保する。
【００４１】
図７は、該固定要素３を主滑動部材内の後部固定用開口部１３を通るようガイドし、該滑動部材を係留部材２により後脚部分１０１に固定することによる延長滑動装置の引き込み位置での設置を示す。高められた縦エッジ１４と横方向の端エッジ１５は全てが、該設置により、個別の、囲んだそして少ししか見えない仕方で後脚部分１０１の垂直部分に対するよう向き、該仕方は該垂直部分を損傷から防ぐか、或いは該部分がユーザーにとって邪魔になることを妨げる。該固定は又、該延長滑動装置が回転するのを妨げ、後脚部分１０１の後方への延長での適切な位置付けを確保する。該延長滑動装置の非常に低い実施例は又椅子の後ろを過ぎる人にとっての躓きの危険を減じる。
【００４２】
図８に示す代わりの実施例では、延長滑動装置２０の固定用開口部は前１２及び後ろ１
３の固定用開口部の間の開いたトラックである。この仕方では、延長滑動装置の延長及び引き込み位置の間で交代するために、ねじの様な固定部材３を完全に取り除くことは必ずしも必要ではない。該固定部材を高めることにより、延長滑動装置は望ましい位置へ滑り、その後、固定部材を締めることによりその位置に固定される。しかしながら、該トラックは、ねじステムの様な、固定要素のステムが、該固定部材が部分的に高められた状態にある時、該トラック内を滑ることを可能にするのみより幅広くすべきではない。従って、該トラックは固定用開口部の直径以下の幅を持つべきで、好ましくは垂直内壁を持つのがよい。例えば、固定部材の頭に適合した該延長滑動装置内の円錐状凹部は、該固定部材３が途中の全てに位置付けられる時、位置的調整に対する物理的抵抗を提供してもよい。延長滑動装置の固定用開口部周りのこの様な形状調整された凹部は、期待される安全性を減じる延長滑動装置の意図しない内方への押しを妨げる。
【００４３】
図９は取り換え滑動装置４を示す。このオプションの取り換え滑動装置４は該延長滑動装置より狭く、例えば、該子供の椅子と共に供給された元の標準滑動装置と同じ外側寸法を有する。
【００４４】
もしユーザーが椅子に設置された該安全装置を持つことを最早望まないなら、該延長滑動装置は取り外され、除去され、そして、例えば図９で示す様に取り換え滑動装置をドライブすることに依り、該椅子の下の孔内に設置されるオプションの該取り換え滑動装置４により取り換えられてもよい。かくして、該取り換え滑動装置４は頂部側上の、元の最も後ろの孔１０３に填るプラグの様な、後部固定部材４３と、該係留部材は除かれるよう意図されてないので、引き留め用要素２の開口部内に填る、狭いプラグの様な、より狭い最も前の固定用要素４２と、を有する。該取り換え滑動装置は該椅子をその元の形にリセットするため寄与し、除かれた元の標準滑動装置と同じ滑り特性を提供する。滑動装置を欠くことは安全上の危険を含むので、該椅子が滑動装置無しでないことは重要である。
【００４５】
普通、安全装置は椅子用に必要な全部品を有するパッケージとして供給され、かくして本発明も又、子供の椅子、特に、固定部材が例えばねじであり、該係留部材が例えばナットプラグであるトリップトラップアール椅子に適合した
−２つの延長滑動装置、
−２つの固定滑動装置、
−２つの係留部材、そして
−２つの取り換え滑動装置、
を有するキットに関する。
【００４６】
該安全キットは例えば、安全キットとして別に、或いは、子供のハーネス、子供のレール、又はベビーキットの様な、該椅子の高められた背当て、の１つ以上から選ばれた様な他の製品と組み合わされて、供給されてもよい。
【図１】
2011521766.tif 000003
【図２】
2011521766.tif 000004
【図３】
2011521766.tif 000005
【図４】
2011521766.tif 000006
【図５】
2011521766.tif 000007
【図６】
2011521766.tif 000008
【図７】
2011521766.tif 000009
【図８】
2011521766.tif 000010
【図９】
2011521766.tif 000011
【図１０】
2011521766.tif 000012
【国際調査報告】
2011521766.tif 000013
2011521766.tif 000014
2011521766.tif 000015